(57)【要約】【課題】簡易な構造の非常用照明装置を提供する。【解決手段】発光ダイオードｒ，ｇ，ｂで各々構成され、互いに異なる色で発光する発光素子群Ｒ，Ｇ，Ｂを有する点灯部２と、２次電池Ｅと、商用電源ＡＣからの電源供給により２次電池Ｅを充電する充電回路部６と、商用電源ＡＣからの電源供給・遮断を検出する停電検出部５と、２次電池Ｅを入力電源として２点灯部の発光素子群Ｒ，Ｇ，Ｂに各々ＬＥＤ電流ＩＲ，ＩＧ，ＩＢを供給する点灯回路部３と、停電検出部６が商用電源ＡＣの遮断を検出すると、点灯回路部３を駆動させて全ての発光素子群Ｒ，Ｇ，Ｂを発光させる制御部４とを備え、制御部４は、停電検出部５が商用電源ＡＣからの電源供給を検出している場合、２次電池Ｅの充電状態を示す充電モニターとして、緑色で発光する発光素子群Ｇを発光させる。【選択図】図１
2011249136.tif 000002
【特許請求の範囲】
【請求項１】
同一色で発光する１乃至複数の半導体発光素子で各々構成され、互いに異なる色で発光する複数の発光素子群を有する点灯部と、
２次電池と、
商用電源からの電源供給により前記２次電池を充電する充電回路部と、
商用電源からの電源供給・遮断を検出する電源検出部と、
前記２次電池を入力電源として前記点灯部の前記複数の発光素子群に点灯電流を各々供給する点灯回路部と、
前記電源検出部が商用電源の遮断を検出すると、前記点灯回路部を駆動させて全ての前記発光素子群に第１の点灯電流を供給して発光させる制御部とを備え、
前記制御部は、前記電源検出部が商用電源からの電源供給を検出している場合、前記２次電池の充電状態を示す充電モニターとして、前記複数の発光素子群のうち、所定の第１の色で発光する第１の発光素子群に前記第１の点灯電流よりも小さい第２の点灯電流を供給して発光させることを特徴とする非常用照明装置。
【請求項２】
前記発光素子群は複数の前記半導体発光素子で構成され、
当該半導体発光素子の異常を検出する素子異常検出部を有しており、
前記制御部は、前記充電モニターとして、前記第１の発光素子群のうち、前記素子異常検出部が正常と判断した所定数の前記半導体発光素子を発光させることを特徴とする請求項１記載の非常用照明装置。
【請求項３】
前記点灯部の異常を検出する異常検出部を有しており、
当該異常検出部が前記点灯部の異常を検出した場合、前記制御部は、前記点灯部の異常を示す異常モニターとして、前記複数の発光素子群のうち、前記第１の色と異なる所定の第２の色で発光する第２の発光素子群に前記第２の点灯電流を供給して発光させることを特徴とする請求項１または２記載の非常用照明装置。
【請求項４】
前記発光素子群は複数の前記半導体発光素子で構成され、
当該半導体発光素子の異常を検出する素子異常検出部を有しており、
前記制御部は、前記異常モニターとして、前記第２の発光素子群のうち、前記素子異常検出部が正常と判断した所定数の前記半導体発光素子を発光させることを特徴とする請求項１乃至３のいずれか１項に記載の非常用照明装置。
【請求項５】
請求項１乃至４のいずれか１項に記載の非常用照明装置と、当該非常用照明装置が取り付けられる器具本体とを備えることを特徴とする非常用照明器具。
【発明の詳細な説明】
【技術分野】
【０００１】
本発明は、光源に発光ダイオードを用いた非常用照明装置および非常用照明器具に関するものである。
【背景技術】
【０００２】
従来、火災等による停電時に照明を確保する目的で、常備されている２次電池（バッテリ電源）の電力を用いて非常用光源を非常点灯させる非常用照明装置が提供されている。非常用光源が蛍光ランプやハロゲン電球で構成されたものが一般的に用いられていた。しかし、近年ベース照明やダウンライトのような一般照明の省エネルギー化、長寿命化を目的として、光源の発光ダイオード化が進んでいる。そこで、非常用光源に発光ダイオードを用いた非常用照明装置が提案されている（例えば、特許文献１参照）。
【０００３】
非常用照明装置として用いるには、日本照明器具工業会の誘導灯器具及び避難誘導システム用装置技術基準（ＪＩＬ５５０２）および、非常用照明器具技術基準（ＪＩＬ５５０１）に適合させることが必須である。非常用照明装置においては、商用電源により２次電池が正常に充電されていることを表示するために、外部から視認できる箇所に緑色の充電モニターを点灯させることが決められている。
【０００４】
また、２次電池や非常用光源の異常を検出し、外部に異常を報知する異常モニターを備えた非常用照明装置が提供されている。２次電池や非常用光源の異常を検出すると、異常モニター点灯または点滅等をさせて、外部に異常状態を報知することで、２次電池や非常用光源の交換を促している。
【先行技術文献】
【特許文献】
【０００５】
【特許文献１】特開２００６−１４００６７号公報
【発明の概要】
【発明が解決しようとする課題】
【０００６】
しかし、従来の非常用照明装置は、充電モニターや異常モニターとして用いる光源と非常用光源とを別に設けているため、部品点数が増加し構造が複雑となるため、コストが増加する問題があった。
【０００７】
本発明は、上記事由に鑑みてなされたものであり、その目的は、簡易な構造の非常用照明装置および非常用照明器具を提供することにある。
【課題を解決するための手段】
【０００８】
本発明の非常用照明装置は、同一色で発光する１乃至複数の半導体発光素子で各々構成され、互いに異なる色で発光する複数の発光素子群を有する点灯部と、２次電池と、商用電源からの電源供給により前記２次電池を充電する充電回路部と、商用電源からの電源供給・遮断を検出する電源検出部と、前記２次電池を入力電源として前記点灯部の前記複数の発光素子群に各々点灯電流を供給する点灯回路部と、前記電源検出部が商用電源の遮断を検出すると、前記点灯回路部を駆動させて全ての前記発光素子群に第１の点灯電流を供給して光させる制御部とを備え、前記制御部は、前記電源検出部が商用電源からの電源供給を検出している場合、前記２次電池の充電状態を示す充電モニターとして、前記複数の発光素子群のうち、所定の第１の色で発光する第１の発光素子群に前記第１の点灯電流よりも小さい第２の点灯電流を供給して発光させることを特徴とする。
【０００９】
この非常用照明装置において、前記発光素子群は複数の前記半導体発光素子で構成され、当該半導体発光素子の異常を検出する素子異常検出部を有しており、前記制御部は、前記充電モニターとして、前記第１の発光素子群のうち、前記素子異常検出部が正常と判断した所定数の前記半導体発光素子を発光させることが好ましい。
【００１０】
この非常用照明装置において、前記点灯部の異常を検出する異常検出部を有しており、当該異常検出部が前記点灯部の異常を検出した場合、前記制御部は、前記点灯部の異常を示す異常モニターとして、前記複数の発光素子群のうち、前記第１の色と異なる所定の第２の色で発光する第２の発光素子群に前記第２の点灯電流を供給して発光させることが好ましい。
【００１１】
この非常用照明装置において、前記発光素子群は複数の前記半導体発光素子で構成され、当該半導体発光素子の異常を検出する素子異常検出部を有しており、前記制御部は、前記異常モニターとして、前記第２の発光素子群のうち、前記素子異常検出部が正常と判断した所定数の前記半導体発光素子を発光させることが好ましい。
【００１２】
本発明の非常用照明器具は、非常用照明装置と、当該非常用照明装置が取り付けられる器具本体とを備え、前記非常用照明装置は、同一色で発光する１乃至複数の半導体発光素子で構成され、互いに異なる色で発光する複数の発光素子群を有する点灯部と、２次電池と、商用電源からの電源供給により前記２次電池を充電する充電回路部と、商用電源からの電源供給・遮断を検出する電源検出部と、前記２次電池を入力電源として前記点灯部の前記複数の発光素子群に各々電力を供給する点灯回路部と、前記電源検出部が商用電源の遮断を検出すると、前記点灯回路部を駆動させて全ての前記発光素子群を発光させる制御部とを備え、前記制御部は、前記電源検出部が商用電源からの電源供給を検出している場合、前記２次電池の充電状態を示す充電モニターとして、前記複数の発光素子群のうち、所定の第１の色で発光する第１の発光素子群を発光させることを特徴とする。
【発明の効果】
【００１３】
以上説明したように、本発明では、構造を簡易化することができるという効果がある。
【図面の簡単な説明】
【００１４】
【図１】本発明の非常用照明装置のブロック構成を示す図である。
【図２】発光素子群に複数の発光ダイオードを備えた非常用照明装置のブロック構成を示す図である。
【図３】本発明の非常用照明器具の外観を示す図である。
【発明を実施するための形態】
【００１５】
以下、本発明の実施の形態を図面に基づいて説明する。
【００１６】
（実施形態）
図１に本発明の実施形態の非常用照明装置１のブロック構成図を示す。本実施形態の非常用照明装置１は、点灯部２と点灯回路部３と制御部４と停電検出部５と充電回路部６と２次電池Ｅとで構成されている。
【００１７】
充電回路部６は、商用電源ＡＣからの電源供給により２次電池Ｅを充電する。
【００１８】
点灯部２は、互いに異なる色で発光する３つの発光素子群Ｒ，Ｇ，Ｂで構成されている。発光素子群Ｒは赤色発光ダイオードｒ（半導体発光素子）、発光素子群Ｇは緑色発光ダイオードｇ、発光素子群Ｂは青色ダイオードｂで構成されており、各々の発光素子群Ｒ，Ｇ，Ｂは点灯回路部３に接続されている。
【００１９】
点灯回路部３は、２次電池Ｅを入力電源として、発光素子群Ｒ，Ｇ，Ｂを構成する発光ダイオードｒ，ｇ，ｂの各々にＬＥＤ電流ＩＲ，ＩＧ，ＩＢを流して点灯させる。
【００２０】
停電検出部５（電源検出部）は、商用電源ＡＣからの電源供給状態を監視しており、電源供給・遮断を示す検出信号Ｓ１を制御部４に出力している。
【００２１】
制御部４は、停電検出部５の検出結果に基づいて制御信号Ｓ２を点灯回路部３に出力し、点灯回路部３の動作を制御することで、点灯部２を点灯制御している。
【００２２】
停電検出部５が商用電源ＡＣの遮断を検出し、制御部４に遮断を示す検出信号Ｓ１が出力されると、制御部４は電源遮断状態であると判断し、点灯部２の非常点灯を指示する制御信号Ｓ２を点灯回路部３に出力する。すると、点灯回路部３は、発光素子群Ｒ，Ｇ，ＢにＬＥＤ電流ＩＲ，ＩＧ，ＩＢを流すことで、全ての発光素子群Ｒ，Ｇ，Ｂを発光させる。そして、発光素子群Ｒ，Ｇ，Ｂが放射する赤色・緑色・青色の光が合成されることで、点灯部２から例えば白色系または電球色系の光が放射される。また、点灯部２から放射される光が、誘導灯器具及び避難誘導システム用装置技術基準（ＪＩＬ５５０２），非常用照明器具技術基準（ＪＩＬ５５０１）による周囲温度１４０度の状態で床面照度が１ｌｘを確保するように、ＬＥＤ電流ＩＲ，ＩＧ，ＩＢの大きさを制御している。なお、発光素子群Ｒ，Ｇ，Ｂが放射する光を合成させて、白色系または電球色系の光を放射させる技術は周知の技術であるため詳細な説明は省略する。
【００２３】
また、本実施形態の非常用照明装置１は、２次電池Ｅの充電モニター用光源としても緑色（第１の色）で発光する発光素子群Ｇ（第１の発光素子群）を用いている。
【００２４】
商用電源ＡＣから電源供給され、停電検出部５から商用電源ＡＣの電源供給を示す検出信号Ｓ１が制御部４に出力されている場合、制御部４は充電モニター用光源として発光素子群Ｇを用いる。制御部４は２次電池Ｅの両端電圧に基づいて、２次電池Ｅの充電状態を判断する。そして、制御部４が２次電池Ｅは正常であると判断すると、制御部４は点灯回路部３に充電モニターを指示する制御信号Ｓ２を出力する。すると、点灯回路部３は、発光素子群ＧにのみＬＥＤ電流ＩＧを流して、点灯部２から緑色の光を放射させる。
【００２５】
このように、点灯部２に備えられた発光素子群Ｇは停電時の非常用光源と、充電時の充電モニター用光源との両方の機能を有している。したがって、従来のように非常用光源と別に充電モニター用光源を備える必要がないので、部品点数を削減することができ、構造を簡易化することができるので、コストを低減させることができる。
【００２６】
また、点灯部２の発光素子群Ｇを充電モニター用光源として機能させる場合の光量は、外部より充電状態と認識できるレベルでよい。そのため、点灯部２の発光素子群Ｇを充電モニター用光源として機能させる場合は、非常用光源として機能させる場合よりも、発光素子群Ｇに流す電流ＩＧを小さくしている。そのため、発光素子群Ｇが放射する光が小さくなるので、点灯部２によって照射される床面やその他の器具などに緑色の光が映し出されない。
【００２７】
また、図２に示すように発光素子群Ｒ，Ｇ，Ｂが複数の発光ダイオードｒ，ｇ，ｂを備えるように構成してもよい。
【００２８】
発光素子群Ｒ，Ｇ，Ｂは、各々２個ずつ発光ダイオードｒ１，ｒ２、ｇ１，ｇ２、ｂ１，ｂ２を備えており、各々にＬＥＤ電流ＩＲ，ＩＧ，ＩＢが点灯回路部３から供給される。そして、発光素子群Ｇのうち１個の発光ダイオードｇ１を充電モニター用光源として用いている。
【００２９】
また、本実実施形態の非常用照明装置１は、点灯部２の異常を報知する異常モニター用光源として赤色（第２の色）で発光する発光素子群Ｒ（第２の発光素子群）を用いている。点灯部２の発光素子群Ｒ，Ｇ，Ｂに異常が発生し、正常に点灯しなくなった場合に、異常モニター用光源として発光素子群Ｒを構成する発光ダイオードｒ１を点灯させ、点灯部２から赤色の光を放射させることで、外部に異常を報知することができる。発光素子群Ｒ，Ｇ，Ｂの異常を検出する方法として、以下の方法例がある。
【００３０】
非常用照明装置１の非常時の動作を確認する定期点検時に、発光素子群Ｒ，Ｇ，Ｂの各発光ダイオードｒ，ｇ，ｂにＬＥＤ電流ＩＲ，ＩＧ，ＩＢを流して点灯させる。制御部４は点灯部２の異常検出部としての機能も有しており、制御部４が各々の発光ダイオードｒ，ｇ，ｂの両端電圧を測定し、測定した結果が正常を示す所定の基準範囲内である場合は正常と判断し、基準範囲外である場合は異常と判断する。
【００３１】
また、商用電源ＡＣからの電源供給状態において、定期的に発光素子群Ｒ，Ｇ，Ｂが点灯しない程度である例えば数１０μＡ程度の微小電流を流し、制御部４が各々の発光ダイオードｒ，ｇ，ｂの両端電圧を測定する構成としてもよい。
【００３２】
そして、上記の方法によって、発光素子群Ｒ，Ｇ，Ｂのうち少なくとも１つが異常と判断されると、制御部４は点灯回路部３に異常モニターを指示する制御信号Ｓ２を出力する。すると、点灯回路部３は、発光素子群Ｒの発光ダイオードｒ１にのみＬＥＤ電流ＩＲを流して、点灯部２から赤色の光を放射することで、外部に異常を報知することができる。また、充電モニター用光源として発光素子群Ｇを点灯させる場合と同様に、異常モニター用光源として発光素子群Ｒの発光ダイオードｒを点灯させる場合は、ＬＥＤ電流ＩＲを小さくしている。そのため、点灯部２によって照射される床面やその他の器具などに赤色の光が映し出されない。
【００３３】
しかし、発光ダイオードｒ１が異常となった場合、異常検出部が発光ダイオードｒ１の異常を検出し、制御部４は異常となった発光ダイオードｒ１の代わりに正常である同色の発光ダイオードｒ２を異常モニター用光源として用いる。それによって、異常モニターが不点灯となることを防止することができる。
【００３４】
同様に、充電モニター用光源に用いている発光ダイオードｇ１が異常となった場合、異常検出部が発光ダイオードｇ１の異常を検出し、制御部４は異常となった発光ダイオードｇ１の代わりに正常である同色の発光ダイオードｇ２を充電モニター用光源として用いる。それによって、充電モニターが不点灯となることを防止することができる。
【００３５】
次に、上述の非常用照明装置１を備えた非常用照明器具７の外観斜視図を図３に示す。非常用照明器具７は、上述の非常用照明装置１と、非常用照明装置１が取り付けられる器具本体８とで構成されている。非常用照明器具７はダウンライトであり、非常用照明装置１を収納した器具本体８が天井に埋め込まれる。そして、非常用照明装置１に備えられた点灯部２が床面を照射する。
【符号の説明】
【００３６】
１    非常用点灯装置
２    点灯部
３    点灯回路部
４    制御部
５    停電検出部
６    充電回路部
Ｅ    ２次電池
Ｒ，Ｇ，Ｂ  発光素子群
ｒ，ｇ，ｂ  発光ダイオード
【図１】
2011249136.tif 000003
【図２】
2011249136.tif 000004
【図３】
2011249136.tif 000005